(57)【要約】【課題】加熱機器キャビネットの上部にレンジフードの排気ダクトや、キッチンキャビネットの給排水用配管及び加熱機器へのガス配管等が配管されている場合であっても、キッチンコーナー部用のキャビネットを壁面に密接させた状態で整然と収納することができ、システムキッチンとしての外観品質を向上させることができると共に、横這い床上配管にも対処することができるため、従来の給湯水・排水及びガス管位置をそのまま利用してリフォーム工事をすることができ、さらには、物品の出し入れも容易なキッチンコーナー部用のキャビネットを提供する。【解決手段】前面板部と背面板部と天板部と底板部と壁面側板部とキッチン側板部と、を有してキャビネット本体が構成されてなり、加熱機器キャビネットと側方空間部に配置されるキッチンコーナー部キャビネットにおいて、上記キャビネット本体の奥行側上部に、レンジフードのダクト用スペースを切欠き形成した。【選択図】図１
2005205018.tif 000002
【特許請求の範囲】
【請求項１】
前面板部と背面板部と天板部と壁面側板部とキッチン側板部と、を有してキャビネット本体が構成されてなり、加熱機器キャビネットと側方空間部に配置されるキッチンコーナー部キャビネットにおいて、上記キャビネット本体の奥行側上部に、レンジフードのダクト用スペースを切欠き形成したことを特徴とするキッチンコーナー部用のキャビネット。
【請求項２】
前記キャビネット本体は、複数のキャビネットを上下に連結して構成されており、前記レンジフードのダクト用スペースは、最上部キャビネットの奥行側上部に形成されていることを特徴とする請求項１に記載のキッチンコーナー部用のキャビネット。
【請求項３】
前記キャビネットのキッチン側板部の手前側であってキッチンキャビネットの前端部より前方側に開閉扉用空間部を開設し、該開閉扉用空間部には、扉体を開閉自在に取り付けたことを特徴とする請求項１又は請求項２のいずれかに記載のキッチンコーナー部用のキャビネット。
【請求項４】
前記各キャビネット内には、棚を前記開閉扉用空間部側にスライド可能に配設したことを特徴とする請求項１乃至請求項３のいずれかに記載のキッチンコーナー部用のキャビネット。
【請求項５】
前記キャビネット本体の奥行側下部に、配管用のスペースを切欠き形成したことを特徴とする請求項１乃至請求項４のいずれかに記載のキッチンコーナー部用のキャビネット。
【請求項６】
前記キャビネット本体の奥行端面と、該奥行端面と対面する壁面との空隙部を、アルミ枠材で隠蔽することを特徴とする請求項１乃至請求項５のいずれかに記載のキッチンコーナー部用のキャビネット。
【発明の詳細な説明】
【技術分野】
【０００１】
この発明は、キッチンキャビネット側方のキッチンコーナー部におけるデッドスペースを利用して収納性を向上させることができるキッチンコーナー部用のキャビネットに関する。
【背景技術】
【０００２】
従来のこの種のキャビネットとしては、特許文献１乃至特許文献３に記載のキャビネットが提案されている。
【０００３】
【特許文献１】特開２００２−２０９６５０号公報
【０００４】
【特許文献２】特開２０００−３０８５３５号公報
【０００５】
【特許文献３】実開平５−４８７４０号公報
【０００６】
特許文献１に示すキッチンコーナーキャビネットは、キッチンキャビネット側を向いてキッチンキャビネットの側方に配置されるコーナーキャビネット本体と、コーナーキャビネット本体とキッチンキャビネットの側面部との間に位置する固定パネルと、固定パネルの側方においてキッチンキャビネット側に開口する開口部と、開口部から固定パネルの裏側へ引き込み可能な引き戸とを有して構成されている。
【０００７】
また、特許文献２に示すキッチンのコーナー部キャビネットの収納装置は、キッチンのコーナー部キャビネット内に所定の容器を出し入れするために配置される収納装置であって、キャビネットの扉開口部に回転可能に支持されると共に、扉の開閉動作に連動するごとく配置された回転容器と、キャビネットの底板に支持され該キャビネット内に移動可能に配置された移動容器とを備え、扉を開いて回転容器をキャビネット外側の所定位置まで回動させた際に、移動容器を扉開口部の位置まで移動させその容器を前方に引き出し得るごとく構成されていることを特徴とする。前記回転容器は、複数段の網篭の外周部に設けた係止手段に扉裏面の係止手段が係止されることによって扉と連動し、前記移動容器は、フレーム内に配置された容器が複数段の網篭で形成されると共に、フレームが底板に設けた一対のレールに沿って移動するように構成されている。
【０００８】
さらに、特許文献３に記載の収納棚は、対向するように立設した一対の側板の上下端部に天板及び底板を夫々配設すると共に、対向する前記側板間に棚板を掛け渡して形成され、部屋の隅部に配置されて他の家具等で前面片側が隠される収納棚であって、他の家具等で隠されない前面片側に位置する天板、側板、底板の前面部のうち、少なくとも側板及び底板の前面部に切り欠き部を設けると共に、前記切り欠き部の近傍に位置する側板に、他の家具等で隠されない前面片側を覆う扉を開閉可能に取り付ける一方、残る前面開口部を覆うことにより、前記切り欠き部を介し、隠れた奥側部分まで腕を延ばし易く形成されている。
【発明の開示】
【発明が解決しようとする課題】
【０００９】
ところで、このようなキッチンコーナー部用のキャビネットが収納配置される部位には、一般的に、加熱機器キャビネットの上部にレンジフードの排気ダクトや、キッチンキャビネットの給排水用配管及び加熱機器へのガス配管等が配管されている場合が多いが、上記特許文献１乃至３のいずれのキッチンコーナー部用のキャビネットにあっても、キッチンコーナー部に形成されるデッドスペースを収納可能に有効活用する、という点においては相共通する構成を有しているものの、上記排気ダクトや配管への対処が全くなされておらず、キッチンコーナー部に整然と収納配置させることができず、当該キッチンコーナー部用のキャビネットと壁面との間に空隙部が形成されて外観が非常に悪くなり、また、横這い床上配管が不可能となるため、リフォーム等に採用することができない等、多くの問題を有していた。
【００１０】
この発明は、かかる現状に鑑み創案されたものであって、その目的とするところは、加熱機器キャビネットの上部にレンジフードの排気ダクトや、キッチンキャビネットの給排水用配管及び加熱機器へのガス配管等が配管されている場合であっても、キッチンコーナー部用のキャビネットを壁面に密接させた状態で整然と収納することができ、システムキッチンとしての外観品質を向上させることができると共に、横這い床上配管にも対処することができるため、従来の給湯水・排水及びガス管位置をそのまま利用してリフォーム工事をすることができ、さらには、物品の出し入れも容易なキッチンコーナー部用のキャビネットを提供しようとするものである。
【課題を解決するための手段】
【００１１】
上記目的を達成するため、請求項１に記載の発明にあっては、前面板部と背面板部と天板部と壁面側板部とキッチン側板部と、を有してキャビネット本体が構成されてなり、加熱機器キャビネットと側方空間部に配置されるキッチンコーナー部キャビネットを技術的前提とし、上記キャビネット本体の奥行側上部に、レンジフードのダクト用スペースを切欠き形成したことを特徴とする。
【００１２】
請求項２に記載の本発明は、請求項１に記載のキッチンコーナー部用のキャビネットを技術的前提とし、前記キャビネット本体は、複数のキャビネットを上下に連結して構成されており、前記レンジフードのダクト用スペースは、最上部キャビネットの奥行側上部に形成されていることを特徴とする。
【００１３】
請求項３に記載の本発明は、請求項１又は請求項２のいずれかに記載のキッチンコーナー部用のキャビネットを技術的前提とし、前記キャビネットのキッチン側板部の手前側であってキッチンキャビネットの前端部より前方側に、開閉扉用空間部を開設し、該開閉扉用空間部には、扉体を開閉自在に取り付けたことを特徴とする。
【００１４】
請求項４に記載の本発明は、請求項１乃至請求項３のいずれかに記載のキッチンコーナー部用のキャビネットを技術的前提とし、前記各キャビネット内には、棚を前記開閉扉用空間部側にスライド可能に配設したことを特徴とする。
【００１５】
請求項５に記載の本発明は、請求項１乃至請求項４のいずれかに記載のキッチンコーナー部用のキャビネットを技術的前提とし、前記キャビネット本体の奥行側下部に、配管用のスペースを切欠き形成したことを特徴とする。
【００１６】
請求項６に記載の本発明は、請求項１乃至請求項５のいずれかに記載のキッチンコーナー部用のキャビネットを技術的前提とし、前記キャビネット本体の奥行端面と、該奥行端面と対面する壁面との空隙部を、アルミ枠材で隠蔽することを特徴とする。
【発明の効果】
【００１７】
以上説明したように、請求項１に記載の発明にあっては、前面板部と背面板部と天板部と底板部と壁面側板部とキッチン側板部と、を有してキャビネット本体が構成されてなり、加熱機器キャビネットと側方空間部に配置されるキッチンコーナー部キャビネットを技術的前提とし、上記キャビネット本体の奥行側上部に、レンジフードのダクト用スペースを切欠き形成して構成したので、加熱機器キャビネットの上部にレンジフードの排気ダクトが配管されている場合であっても、この排気ダクトを迂回させる等の処理をすることなく、そのままの状態で、キッチンコーナー部用のキャビネットを壁面に整然と密接させて収納することができ、システムキッチンとしての外観品質を向上させることができる。
【００１８】
請求項２に記載の本発明では、前記キャビネット本体は、複数のキャビネットを上下に連結して構成されており、前記レンジフードのダクト用スペースは、最上部キャビネットの奥行側上部に形成したので、多くの小物類や台所用品などの物品を効率よく分別収納することができる。
【００１９】
請求項３に記載の本発明は、前記キャビネットのキッチン側板部の手前側であってキッチンキャビネットの前端部より前方側に、開閉扉用空間部を開設し、該開閉扉用空間部には、扉体を開閉自在に取り付けて構成したので、キッチンキャビネットに邪魔されることなく物品をキャビネット内から簡単に出し入れすることができる。
【００２０】
請求項４に記載の本発明は、前記各キャビネット内には、棚を前記開閉扉用空間部側にスライド可能に配設したので、キャビネットの奥行側に収納された物品であっても、棚をスライドさせるだけで開閉扉用空間部側に引き出すことができるので、より物品の出し入れが容易となり、無駄なく物品を収納することができる。
【００２１】
請求項５に記載の本発明は、前記キャビネット本体の奥行側下部に、配管用のスペースを切欠き形成したので、キッチンキャビネットの給排水用配管及び加熱機器へのガス配管等が配管されている横這い床上配管であっても、当該キャビネットを整然と収納配置することができるため、従来の給湯水・排水及びガス管位置をそのまま利用してリフォーム工事をすることができる。
【００２２】
請求項６に記載の本発明は、前記キャビネット本体の奥行端面と、該奥行端面と対面する壁面との空隙部を、アルミ枠材で隠蔽するように構成したので、本キャビネットが設置される壁面が多少歪んでいても、キッチンコーナー部用のキャビネットと壁面との間に発生する空隙を上記アルミ枠材で隠蔽することができるので、システムキッチンとしての外観品質を向上させることができ、特に、台所回りのリフォームに好適である。
【発明を実施するための最良の形態】
【００２３】
以下、添付図面に示す発明の実施例基づき、この発明を詳細に説明する。
【実施例１】
【００２４】
図１は、この発明の実施例１に係るキッチンコーナー部用のキャビネットＣＫが加熱機器Ｃの側方空間部に配置された状態を示しており、該キャビネットＣＫは、前面板部１と背面板部２と天板部３と底板部４と壁面側板部５とキッチン側板部６と、から構成されており、該キッチン側板部６の手前側であって上記キッチンキャビネットＫの前端部より前方側に開閉扉用空間部７が開設され、該開閉扉用空間部７には、引き戸式の扉８がスライド自在に装着されて構成されている。尚、上記開閉扉はヒンジ式の開閉扉とであっても構わない。
【００２５】
このように構成されてなるキャビネットＣＫの奥行側上部には、レンジフードＬのダクトＤを通すスペース９が側面形状が略Ｌ字状に切欠き形成されていると共に、該キャビネットＣＫの奥行側下部には、キッチンキャビネットＫの給排水用配管Ｈ１及び加熱機器Ｃへのガス配管Ｈ２の配管用のスペース１０が略コ字状に切欠き形成されて構成されている。
【００２６】
それ故、本実施例１に係るキッチンコーナー部用のキャビネットＣＫにあっては、加熱機器Ｃの上部にレンジフードＬの排気ダクトＤや、キッチンキャビネットＫの給排水用配管Ｈ１及び加熱機器Ｃへのガス配管Ｈ２等が配管されている場合であっても、本キャビネットＣＫを壁面Ｗに密接させた状態で整然と収納することができ、システムキッチンとしての外観品質を向上させることができると共に、従来の給湯水・排水及びガス管Ｈ１，Ｈ２の位置をそのまま利用してリフォーム工事をすることができる。尚、本キャビネットＣＫの背面板部２と上記壁面Ｗとの間に、壁面Ｗの歪み等によって空隙部が形成される場合には、該空隙部を、アルミ枠材Ａで隠蔽することで、システムキッチンとしての外観品質を保つことができると共に、リフォーム品質を向上させることもできる。
【実施例２】
【００２７】
図２は、この発明の実施例２に係るキッチンコーナー部用のキャビネットＣＫの縦断面図、図３は同キャビネットＣＫの水平断面図、図４は同キャビネットＣＫの中央キャビネット部ＣＫＭの水平断面図、図５は同キャビネットＣＫの上キャビネット部ＣＫＵの水平断面図、図６は同キャビネットＣＫの奥行部の縦断面図である。
【００２８】
この実施例２に係るキャビネットＣＫは、キッチンキャビネットＫの奥行寸法の略２倍の奥行寸法を有して構成され、上キャビネット部ＣＫＵと中央キャビネット部ＣＫＭ及び下キャビネット部ＣＫＬを上下に連結して構成されている。このように、キッチンコーナー部用のキャビネットＣＫを３キャビネットを連結して構成することで、例えば、リフォームの現場において、キッチンキャビネットＫとの配置状態や形状に対応させて様々なバリエーションでキッチンコーナー部用のキャビネットＣＫを組み立てることが容易となる、という効果が得られる。
【００２９】
上キャビネット部ＣＫＵは、図２と図４及び図５に示すように、前面板部１Ａと背面板部２Ａと天板部３Ａと底板部４Ａと壁面側板部５Ａとキッチン側板部６Ａと、から構成されており、該キッチン側板部５Ａの手前側に開閉扉用空間部７Ａが開設され、該開閉扉用空間部７Ａには、ヒンジ開閉式の扉８Ａが開閉自在に装着されて構成されている。尚、本実施例２では、該上キャビネット部ＣＫＵ内には、図４に示すように、２段の棚１１，１１が高さ調整自在に取り付けられている。尚、図２中符号１２は扉キャッチャーを、符号１３は平面形状が三角形状に形成された間隔保持板を、符号１４は不燃材である。
【００３０】
このような構成からなる上キャビネット部ＣＫＵは、図２に示すように、その奥行寸法ｄ１が、他の中央キャビネット部ＣＫＭ及び下キャビネット部ＣＫＬの奥行寸法ｄ２、ｄ３よりも短く形成されており、該上キャビネット部ＣＫＵの背面板部２Ａの奥行側に排気ダクトＤの配管スペース９が確保されるように構成されている。
【００３１】
この実施例２に係る上キャビネット部ＣＫＵは、以上のように構成されているので、奥行側に収納された物品を取り出す場合にも、それほど奥行寸法が大きくないので、上記扉８Ａを開いて手を本上キャビネット部ＣＫＵの内奥方向へと延ばすだけで簡単に物品を取り出し、或は収納することができる。
【００３２】
中央キャビネット部ＣＫＭは、図２と図４及び図６に示すように、前面板部１Ｂと背面板部２Ｂと天板部３Ｂと底板部４Ｂと壁面側板部５Ｂとキッチン側板部６Ｂと、から構成されており、該キッチン側板部５Ｂの手前側に開閉扉用空間部７Ｂが開設され、該開閉扉用空間部７Ｂには、裏側に複数の収納篭１５が着脱自在に取り付けられた扉８Ｂがヒンジを介して開閉自在に装着されて構成されている。尚、この中央キャビネット部ＣＫＭ内にも、２段の棚１６，１６が高さ調整自在に配設されている。
【００３３】
そして、この中央キャビネットＣＫＭの背面板部２Ｂの奥行側には、平面形状が三角形状に形成された間隔保持板１７が配設されており、中央キャビネットＣＫＭの背面板部２Ｂと壁面との間に、キッチンキャビネットＫの給排水用配管Ｈ１及び加熱機器Ｃへのガス配管Ｈ２等の配管スペース１０が確保されるように構成されている。
【００３４】
この実施例２に係る中央キャビネット部ＣＫＭは、以上のように構成されているので、奥行側に収納された物品を取り出す場合にも、それほど奥行寸法が大きくないので、上記扉８Ｂを開いて手を本中央キャビネット部ＣＫＭの内奥方向へと延ばすだけで簡単に物品を取り出し、或は収納することができる。また、扉８Ｂの裏面には、複数の収納篭１５が配設されているので、加熱調理姿勢のままの高さで該収納篭１５から調味料や各種器具を取り出し或は収納することができるので、調理作業を効率的に行なうことができる。
【００３５】
下キャビネット部ＣＫＬは、図２乃至図４に示すように、前面板部１Ｃと背面板部２Ｃと天板部３Ｃと底板部４Ｃと壁面側板部５Ｃとキッチン側板部６Ｃと、から構成されており、該キッチン側板部６Ｃの手前側であって上記キッチンキャビネットＫの前端部より前方側に開閉扉用空間部７Ｃが開設され、該開閉扉用空間部７Ｃには、ヒンジ開閉式の扉８Ｃが開閉自在に装着されており、該下キャビネット部ＣＫＬ内には、２段のワイヤーラック１８，１８が手前方向から奥行方向にスライド自在に構成されている。
【００３６】
そして、この下キャビネットＣＫＬの背面板部２Ｃの奥行側には、平面形状が三角形状に形成された間隔保持板１９が配設されており、下キャビネットＣＫＬの背面板部２Ｃと壁面との間に、キッチンキャビネットＫの給排水用配管Ｈ１及び加熱機器Ｃへのガス配管Ｈ２等の配管スペース１０が確保されるように構成されている。
【００３７】
この実施例２に係る下キャビネット部ＣＫＬは、以上のように構成されているので、奥行側に収納された物品を取り出す場合にも、扉８Ｃを開いてワイヤーラック１８，１８を手前側に引き出すだけで、簡単に奥行側に収納された物品を取り出し、或は収納することができる。
【００３８】
尚、この発明にあっては、上記各実施例に限定されるものではなく、本発明の要旨を変更しない範囲で適宜設計変更して、各種キッチンコーナー部用のキャビネットに適用することができる。
【図面の簡単な説明】
【００３９】
【図１】この発明の実施例１に係るキッチンコーナー部用のキャビネットの配置例を示す斜視説明図である。
【図２】この発明の第２実施例２に係るキッチンコーナー部用のキャビネットの縦断面図である。
【図３】同キャビネットの下キャビネット部の水平断面図である。
【図４】同キャビネットの中央キャビネット部の水平断面図である。
【図５】同キャビネットの上キャビネット部の水平断面図である。
【図６】同キャビネットの奥行部の縦断面図である。
【符号の説明】
【００４０】
Ａ  アルミ枠材
Ｃ  加熱機器
ＣＫ  キッチンコーナー部用のキャビネット
Ｄ  排気ダクト
Ｈ１  給排水用配管
Ｈ２  ガス配管
Ｌ  レンジフード
Ｋ  キッチンキャビネット
Ｗ  壁面
１  前面板部
２  背面板部
３  天板部
４  底板部
５  壁面側板部
６  キッチン側板部
７  開閉扉用空間部
８  扉
９  レンジフードダクト用スペース
１０  配管用スペース
１１  棚
【図１】
2005205018.tif 000003
【図２】
2005205018.tif 000004
【図３】
2005205018.tif 000005
【図４】
2005205018.tif 000006
【図５】
2005205018.tif 000007
【図６】
2005205018.tif 000008